(57)【要約】【課題】分配器側で複数の分配用ケーブルを簡単に識別し得るケーブル識別器を提供する。【解決手段】ブースタ７ａ〜７ｎを設置する場合に識別用抵抗器２１の値が異なるものを使用する。分配器３の分配端子４ａ〜４ｎに分配用ケーブル５ａ〜５ｎを接続する際、分配用ケーブル５ａ〜５ｎにケーブル識別器１０を順次接続し、ブースタ番号を確認する。ケーブル識別器１０の計測端子１５に例えば分配用ケーブル５ａを接続すると、分配用ケーブル５ａに接続されているブースタの識別用抵抗器２１がケーブル識別器１０の計測用基準抵抗器１３に直列に接続され、電源部１４の電圧が分圧されてＡ／Ｄ変換器１１１によりデジタルデータに変換される。レベル判別部１１２は、Ａ／Ｄ変換器１１１の出力を判別し、その判別結果に対応するブースタ番号をドライバ１１３により表示器１２に表示する。【選択図】　　図２
2004112729.tif 000002
【特許請求の範囲】
【請求項１】
一端が共同受信機器に接続された複数のケーブルの他端において、該共同受信機器を識別するケーブル識別器において、共同受信機器端子に設けた識別用抵抗器の分圧電圧レベルを識別データとして、該共同受信機器を識別することを特徴とするケーブル識別器。
【請求項２】
一端が共同受信機器に接続された複数のケーブルの他端において、該共同受信機器を識別するケーブル識別器において、共同受信機器端子に設けた識別用コンデンサの容量値を識別データとして、該共同受信機器を識別することを特徴とするケーブル識別器。
【請求項３】
一端が共同受信機器に接続された複数のケーブルの他端において、該共同受信機器を識別するケーブル識別器において、共同受信機器に具備したＩＤチップのＩＤコードを識別データとして、該共同受信機器を識別することを特徴とするケーブル識別器。
【請求項４】
ケーブルが接続される共同受信機器の端子において、前記ケーブル識別器により共同受信機器に接続されたケーブルの端部において、該共同受信機器を識別可能とする請求項１、２、３の何れか記載の識別手段を具備したことを特徴とする識別機能付き共同受信機器。
【請求項５】
前記識別データの発生手段において、複数の識別素子を設け、該識別素子を選択することで、任意の識別データを選択する切換スイッチを備えたことを特徴とする請求項４記載の識別機能付き共同受信機器。
【請求項６】
識別手段を有さない共同受信機器のケーブルが接続される端子に接続し、前記ケーブル識別器により共同受信機器に接続されたケーブルの端部において、該共同受信機器を識別可能とする請求項１、２、３の何れか記載の識別手段を具備したことを特徴とする識別機能付きアダプタ。
【請求項７】
前記識別データの発生手段において、複数の識別素子を設け、該識別素子を選択することで、任意の識別データを選択する切換スイッチを備えたことを特徴とする請求項６記載の識別機能付きアダプタ。
【発明の詳細な説明】
【０００１】
【発明の属する技術分野】
本発明は、例えば集合住宅に設置するテレビ共同視聴設備等において、分配機能を備えた機器に接続するケーブルが何処に配線されているかを分配機器側で識別することができるケーブル識別器、識別機能付き共同受信機器及び識別機能付きアダプタに関する。
【０００２】
【従来の技術】
集合住宅等におけるテレビ共同視聴設備では、共同受信用アンテナで受信したテレビ信号あるいはＣＡＴＶシステムのヘッドエンド装置からケーブルを介して送られてくる信号を分配器により各室に分配している。この場合、テレビ信号の分配先である各室が何階にあるのか、また、同じ階でも何処に位置しているのか等の分配条件によりテレビ信号の減衰量が異なったものとなっている。このため、テレビ信号を単に分配器で均等に分配したのでは、各室に分配されるテレビ信号のレベルがそれぞれ異なったものとなり、各室におけるテレビ受信画像の品質を一定にすることができない。
【０００３】
このような問題を解決するため従来では、分配器を設計する際に各分配端子の信号レベルを各室の分配条件を合わせて設定している。このため分配器の分配端子に分配用ケーブルを接続する場合には、相互の位置関係を正しく設定する必要がある。
【０００４】
このため従来では、作業者を分配器と各室の双方に配置して相互に連絡しながら分配用ケーブルを識別し、分配器の各分配端子に所定の分配用ケーブルを接続するようにしている。
【０００５】
【発明が解決しようとする課題】
しかし、上記従来の方法では、分配器と各室の双方に作業者を配置して相互に連絡しながら分配用ケーブルを識別しなければならないので、分配用ケーブルの識別に多くの人手を要すると共に時間が掛かるという問題がある。
【０００６】
本発明は上記の課題を解決するためになされたもので、分配機能を備えた機器側において、複数の分配用ケーブルを簡単に識別し得るケーブル識別器を提供することを目的とする。
【０００７】
また、本発明は、分配用ケーブルの先端に接続されて識別データを出力する機能を備えた識別機能付き共同受信機器及び識別機能付きアダプタを提供することを目的とする。
【０００８】
【課題を解決するための手段】
本発明に係るケーブル識別器は、一端が共同受信機器に接続された複数のケーブルの他端において、該共同受信機器を識別するケーブル識別器において、共同受信機器端子に設けた識別用抵抗器の分圧電圧レベルを識別データとして、該共同受信機器を識別することを特徴とする。
【０００９】
上記の構成とすることにより、例えば集合住宅に設置するテレビ共同視聴設備等において、分配機能を備えた機器側で複数の分配用ケーブルを簡単且つ確実に識別でき、分配機能を備えた機器の分配端子に所定の分配用ケーブルを正しく接続でき、分配機能を備えた機器と分配用ケーブルとの接続作業を短時間で効率的に行なうことができる。
【００１０】
【発明の実施の形態】
以下、図面を参照して本発明の実施形態を説明する。
（第１実施形態）
図１は、本発明の第１実施形態に係る集合住宅等におけるテレビ共同視聴設備の構成例を示す図である。図１において、１は共同受信用のＴＶアンテナで、例えばＵＨＦアンテナ、ＶＨＦアンテナ、パラボラアンテナが単独あるいは組み合わせて使用される。なお、共同受信用のＴＶアンテナ１の代わりにＣＡＴＶシステムのヘッドエンド装置からケーブルにより送られてくるＴＶ信号を使用する場合もある。
【００１１】
上記ＴＶアンテナ１で受信されたＴＶ信号は、増幅器２で増幅されて分配機能を備えた機器例えば分配器３に入力される。分配器３は、複数の分配端子４ａ〜４ｎを備え、予めテレビ共同視聴設備の分配条件に合わせて各分配端子４ａ〜４ｎから出力される分配信号のレベルが設定されている。
【００１２】
上記分配器３の分配端子４ａ〜４ｎには、分配用ケーブル５ａ〜５ｎの一端が接続される。この分配用ケーブル５ａ〜５ｎは、ジャンクションボックス６を介して集合住宅内に配線され、先端が例えば各階の各室に対応して配置される共同受信機器例えばテレビ信号用ブースタ７ａ〜７ｎに接続される。ブースタ７ａ〜７ｎの信号出力端は、各室に配設されるＴＶ端子８に接続される。
【００１３】
上記分配器３の分配端子４ａ〜４ｎには、予め定めた所定の分配用ケーブル５ａ〜５ｎを接続するが、その際、図２に示すケーブル識別器１０を用いて分配用ケーブル５ａ〜５ｎの配線位置、すなわち、ブースタ７ａ〜７ｎの何れに接続されているかを識別する。
【００１４】
なお、図１では、分配機能を備えた機器として分配器３を使用した場合について示したが、その他、例えば分配機能を備えたヘッドアンプやヘッドエンドにおいても、接続するケーブルを識別する場合に利用することができる。ヘッドエンドやヘッドアンプでは、各出力端子に対してそれぞれ接続する幹線ケーブルが決められているので、何処に配線されている幹線ケーブルであるかを識別する必要があるので、その際にケーブル識別器１０を使用する。
【００１５】
上記ケーブル識別器１０は、図２に示すようにマイクロコンピュータ（以下、マイコンと略称する）１１、表示器１２、計測用基準抵抗器１３、電源部１４、計測端子１５からなっている。
【００１６】
上記マイコン１１は、Ａ／Ｄ変換器１１１、レベル判別部１１２及びドライバ１１３からなり、上記電源部１４より例えば５Ｖの動作電圧が与えられる。上記Ａ／Ｄ変換器１１１の入力端子は、計測端子１５の＋側に接続される。また、この計測端子１５の＋側には、電源部１４から計測用基準抵抗器１３を介して計測用電圧が与えられる。電源部１４は、バッテリの電圧に基づいて所定の電圧例えば上記したように５Ｖの直流電圧を出力する。
【００１７】
上記計測端子１５は、計測しようとする分配用ケーブル５ａ〜５ｎの一端に接続される。上記計測用基準抵抗器１３は、詳細を後述するようにブースタ７ａ〜７ｎの入力端に識別データ発生手段として設けられる例えば識別用抵抗器２１に直列に接続されて電源部１４の端子電圧を分圧するためのもので、その値としては例えば９．１ｋΩのものが使用される。
【００１８】
上記Ａ／Ｄ変換器１１１は、計測端子１５に生じるアナログ電圧をデジタルデータに変換してレベル判別部１１２に入力する。レベル判別部１１２は、Ａ／Ｄ変換器１１１により変換された電圧レベルを判別し、それに応じたブースタ識別表示、例えばブースタ番号をドライバ１１３を介して表示器１２に表示する。この表示器１２としては、例えば１〜数桁の７セグメントＬＥＤが用いられ、レベル判別部１１２で判別されたブースタ番号を表示する。
【００１９】
図３は、ブースタ７ａ〜７ｎの概略構成例を示したものである。ブースタ７ａ〜７ｎは、入力端子２２と出力端子２５との間にコンデンサ２３を介して増幅器２４を接続した構成となっているが、更に識別用抵抗器２１を入力端子２２に並列に、すなわち、入力端子２２の＋端子と−端子との間に設けている。上記識別用抵抗器２１は、ブースタ番号に対応した値に設定されるもので、例えば１ｋΩ〜１００ｋΩの範囲で設定される。すなわち、識別用抵抗器２１の値は、ケーブル識別器１０の計測端子１５に生じる電圧が等間隔で変化するように等比で設定される。上記識別用抵抗器２１の値によって設定したブースタ番号は、ブースタ７ａ〜７ｎのケースに記載される。
【００２０】
図４は、識別用抵抗器２１の設定例と計測電圧との関係を示したものである。なお、図４は、計測用基準抵抗器１３の値を６ｋΩ、Ａ／Ｄ変換器１１１の入力インピーダンスを無限大、電源部１４の電圧を５Ｖとした場合を例としている。上記識別用抵抗器２１の値は、ブースタ７ａ〜７ｎの入力インピーダンスより十分に大きい値であれば、ブースタの特性に影響を与えるものではない。ブースタ７ａ〜７ｎの入力インピーダンスは、一般に７５Ωのものが使用されている。
【００２１】
上記ブースタ７ａ〜７ｎを設置する場合、ブースタ番号、すなわち識別用抵抗器２１の値が異なるものを使用する。この場合、どの場所に何番のブースタを設置するかを予め決めておくか、あるいはブースタ設置後に設置場所とブースタ番号との対応関係を確認しておく。
【００２２】
そして、分配用ケーブル５ａ〜５ｎ及びブースタ７ａ〜７ｎの設置を終了し、分配器３の分配端子４ａ〜４ｎに分配用ケーブル５ａ〜５ｎを接続する際、分配用ケーブル５ａ〜５ｎにケーブル識別器１０を順次接続し、ブースタ番号、すなわち分配用ケーブル５ａ〜５ｎの番号を確認し、そのケーブル番号に従って分配器３への接続を行なう。
【００２３】
ケーブル識別器１０の計測端子１５は、ケーブル端部コネクタと適合するコネクタが端子となっており、被識別ケーブルと容易に着脱可能になっている。上記計測端子１５に例えば分配用ケーブル５ａを接続すると、分配用ケーブル５ａに接続されているブースタの識別用抵抗器２１がケーブル識別器１０の計測用基準抵抗器１３に対して直列に接続され、電源部１４の電圧が計測用基準抵抗器１３と識別用抵抗器２１によって分圧される。その分圧されたアナログ電圧がＡ／Ｄ変換器１１１でデジタルデータに変換され、レベル判別部１１２に出力される。レベル判別部１１２は、上記Ａ／Ｄ変換器１１１の出力データから分圧電圧のレベルを判別し、そのレベルに対応するブースタ番号をドライバ１１３に出力して表示器１２に表示する。
【００２４】
従って、作業者は、分配器３の所で分配用ケーブル５ａに接続されているブースタの番号が何番であるかを容易に確認でき、このブースタ番号からその設置位置が分かるので、分配用ケーブル５ａを予め定められている分配器３の分配端子に正しく接続することができる。
【００２５】
以下、同様にして作業者は、ケーブル識別器１０により各分配用ケーブル５ａ〜５ｎに接続されているブースタ７ａ〜７ｎの番号を順次確認し、対応する分配器３の分配端子４ａ〜４ｎに接続する。
【００２６】
なお、設置するブースタ７ａ〜７ｎの数が予め設定したブースタ番号の数よりも多い場合は、ブースタ７ａ〜７ｎを系統別に分けて、各系統でブースタ番号が重ならないように設置する。そして、ブースタ番号が重なる系統のブースタを分配用ケーブルから切り離した状態でブースタ番号の計測作業を行なうことにより、分配用ケーブル５ａ〜５ｎを正確に識別することができる。
【００２７】
なお、上記第１実施形態では、各ブースタ７ａ〜７ｎの識別用抵抗器２１をそれぞれ異なる値に設定する場合について説明したが、その他、例えば図５に示すように各ブースタ７ａ〜７ｎに予め値の異なる複数の識別用抵抗器２１を設け、切換スイッチ例えばロータリスイッチ１６で切換えるようにしても良い。上記ロータリスイッチ１６は、例えばつまみ、あるいはドライバにより切換える。このようにロータリスイッチ１６を使用して識別用抵抗器２１を切換えることにより、１種類のブースタを用意するだけで、ブースタ番号を任意に切換え設定することができ、ブースタの製造及び管理が容易になる。
【００２８】
（第２実施形態）
次に本発明の第２実施形態について説明する。
図６は、本発明の第２実施形態に係るケーブル識別器１０及びブースタ７ａ〜７ｎの構成例を示す図である。この第２実施形態は、ブースタ７ａ〜７ｎに第１実施形態で示した識別用抵抗器２１に代えて識別用コンデンサ３１を設け、ケーブル識別器１０で上記識別用コンデンサ３１の容量を判別してブースタ番号を識別するようにしたものである。
【００２９】
ケーブル識別器１０では、電源部１４の供給電圧によって動作するパルス発生器１７を設け、例えば周波数が１００ｋＨｚ、デューティ比が５０％のパルス信号を発生する。このパルス発生器１７で発生したパルス信号を容量判別部１１４に入力すると共に抵抗器１８を介して計測端子１５に出力する。また、マイコン１１をＡ／Ｄ変換器１１１、容量判別部１１４、及びドライバ１１３により構成し、容量判別部１１４でブースタ７ａ〜７ｎに設けられた識別用コンデンサ３１の容量を判別する。
【００３０】
ブースタ７ａ〜７ｎに設ける識別用コンデンサ３１は、例えば０．１μＦ〜５００ｐＦの容量のものを使用し、その容量値によってブースタ番号を設定する。
【００３１】
上記の構成において、ケーブル識別器１０の計測端子１５に例えば分配用ケーブル５ａを接続すると、パルス発生器１７で発生したパルス信号が抵抗器１８を介して計測端子１５より出力され、分配用ケーブル５ａに接続されているブースタの識別用コンデンサ３１に供給される。すなわち、抵抗器１８と識別用コンデンサ３１により積分回路が形成され、抵抗器１８と識別用コンデンサ３１の時定数に従って識別用コンデンサ３１への充放電が繰り返される。
【００３２】
図７の（ａ）はパルス発生器１７で発生したパルス信号波形、（ｂ）は識別用コンデンサ３１の充電波形を示したものである。パルス信号の正の半周期では識別用コンデンサ３１への充電が行なわれ、パルス信号の負の半周期では識別用コンデンサ３１に充電された電荷が放電される。
【００３３】
ケーブル識別器１０では、容量判別部１１４において、図７（ａ）、（ｂ）に示すようにパルス信号が立ち下がった時点ｔ０から次にパルス信号が正に反転して識別用コンデンサ３１の充電電圧が予め設定した閾値Ｅ１に到達した時点ｔ１までの充電時間Ｔを計測し、この時間Ｔによりブースタ７ａ〜７ｎの番号を判別して表示器１２に表示する。すなわち、上記識別用コンデンサ３１の充電電圧が閾値Ｅ１に達するまでの充電時間Ｔは、容量に応じて異なった値となるので、容量判別部１１４で識別用コンデンサ３１の充電時間Ｔを計測することにより、識別用コンデンサ３１の容量を判別でき、この容量からブースタ番号を判別することができる。
【００３４】
なお、上記第２実施形態では、パルス信号が立ち下がった時点ｔ０から充電時間Ｔの計測動作を開始する場合について示したが、パルス信号が立ち上がった時点から充電時間Ｔの計測動作を開始するようにしても良い。
【００３５】
上記のようにブースタ７ａ〜７ｎに識別用コンデンサ３１を設けた場合においても、第１実施形態の場合と同様に分配器３の所で分配用ケーブル５ａ〜５ｎに接続されているブースタ番号を容易に確認でき、このブースタ番号からブースタの設置位置が分かるので、分配用ケーブル５ａ〜５ｎを予め定められている分配器３の分配端子に正しく接続することができる。
【００３６】
（第３実施形態）
次に本発明の第３実施形態について説明する。
図８は、この第３実施形態に係るケーブル識別器１０及びブースタ７ａ〜７ｎの構成例を示したものである。この第３実施形態は、ブースタ７ａ〜７ｎに第１実施形態で示した識別用抵抗器２１に代えてＩＤチップ４０を設け、ケーブル識別器１０で上記識別用ＩＤチップ４０のＩＤ番号を判別してブースタ番号を識別するようにしたものである。
【００３７】
ケーブル識別器１０は、マイコン１１、表示器１２、電源部１４、計測端子１５、抵抗器１８を備えている。マイコン１１は、モデム１１５、ＩＤ判別部１１６、ドライバ１１３からなり、電源部１４からの供給電圧によって動作する。また、ケーブル識別器１０は、電源部１４の端子電圧を抵抗器１８を介して計測端子１５より出力し、分配用ケーブル５ａ〜５ｎを介してブースタ７ａ〜７ｎに供給する。
【００３８】
上記モデム１１５は、計測端子１５から分配用ケーブル５ａ〜５ｎを介してブースタ７ａ〜７ｎに接続され、ブースタ７ａ〜７ｎに設けられているＩＤチップ４０とデータの送受信を行ない、ＩＤチップ４０から送られてくるＩＤ番号を受信してＩＤ判別部１１６に入力する。ＩＤ判別部１１６は、ＩＤチップ４０から送られてきたＩＤ番号を判別し、表示器１２に表示する。
【００３９】
一方、ブースタ７ａ〜７ｎに設けられるＩＤチップ４０は、図９に示すようにケーブル識別器１０のモデム１１５とデータの送受信を行なうモデム４１及びＩＤ番号を記憶しているメモリ例えばＲＯＭ４２を備えている。このＲＯＭ４２には、予め例えば数ビットのコードにより各ブースタ７ａ〜７ｎのＩＤ番号が書込まれている。また、ＩＤチップ４０は、ケーブル識別器１０の電源部１４から抵抗器１８を介して与えられる直流電圧を抵抗器４３を介してコンデンサ４４に蓄え、モデム４１及びＲＯＭ４２に動作電圧として供給する。
【００４０】
上記の構成において、ケーブル識別器１０の計測端子１５に例えば分配用ケーブル５ａを接続すると、電源部１４から抵抗器１８を介して出力される直流電圧が分配用ケーブル５ａに接続されているブースタのＩＤチップ４０に供給される。ＩＤチップ４０は、ケーブル識別器１０から与えられる直流電圧を抵抗器４３を介してコンデンサ４４に蓄え、モデム４１及びＲＯＭ４２に動作電圧として供給する。
【００４１】
そして、ケーブル識別器１０は、モデム１１５により分配用ケーブル５ａを介してＩＤチップ４０のモデム４１と通信し、ＲＯＭ４２に記憶されているＩＤ番号を読出してＩＤ判別部１１６に出力する。ＩＤ判別部１１６は、ＩＤチップ４０から読出したＩＤ番号を判別し、その判別した番号を表示器１２に表示する。
【００４２】
上記のようにブースタ７ａ〜７ｎにＩＤチップ４０を設けた場合においても、第１実施形態の場合と同様に分配器３の所で分配用ケーブル５ａ〜５ｎに接続されているブースタ番号を容易に確認できるので、分配用ケーブル５ａ〜５ｎを予め定められている分配器３の分配端子に正しく接続することができる。
【００４３】
また、ＩＤチップ４０を用いた場合には、ＲＯＭ４２のビット数を増加することによって非常に多くのＩＤ番号を設定でき、大規模な集合住宅に設置するテレビ共同視聴設備で、非常に多数のブースタ７ａ〜７ｎを設置する場合においても、各ブースタ７ａ〜７ｎを確実且つ容易に識別することができる。
【００４４】
また、上記ＲＯＭ４２は、数十〜数百ビットの構成とすることができ、非常に多数の情報を記憶させることができるので、ブースタ番号だけでなく、ブースタの機器番号、製造番号等を設定することができる。従って、分配用ケーブル５ａ〜５ｎを分配器３に接続する際に、ブースタ番号だけでなく、ブースタの機器番号から性能等についても容易に確認することが可能である。
【００４５】
上記第３実施形態では、ブースタ７ａ〜７ｎ内にＩＤチップ４０を設けた場合について示したが、図１０に示すように例えばＩＤチップ４０を備えたＩＤアダプタ５０を分配用ケーブル５ａ〜５ｎとブースタ７ａ〜７ｎとの間にそれぞれ接続し、ケーブル識別器１０で各ＩＤアダプタ５０のＩＤ番号を識別するようにしても良い。
【００４６】
なお、分配用ケーブル５ａ〜５ｎに対してブースタ７ａ〜７ｎが接続されていない場合には、図１１に示すように分配用ケーブル５ａ〜５ｎにＩＤアダプタ５０のみを接続し、ケーブル識別器１０で各ＩＤアダプタ５０のＩＤ番号を識別するようにしても良い。
【００４７】
また、アダプタは、ＩＤアダプタ５０に限定されるものではなく、ＩＤチップ４０に代わりに、第１実施形態で示したように識別用抵抗器２１を設けてケーブルを識別できるようにしたもの、あるいは第２実施形態で示したように識別用コンデンサ３１を設けてケーブルを識別できるようにしたものであっても良い。
【００４８】
また、上記第３実施形態では、ブースタ７ａ〜７ｎ内にＩＤチップ４０を設けた場合について示したが、ブースタに限らず、その他の共同受信機器、例えば図１２に示すように分岐／分配器５１内にＩＤチップ４０を設け、ケーブル識別器１０で各分岐／分配器５１内に設けたＩＤチップ４０のＩＤ番号を識別するようにしても良い。
【００４９】
更に、分岐／分配器５１には、ＩＤチップ４０の代わりに、第１実施形態で示した識別用抵抗器２１、あるいは第２実施形態で示した識別用コンデンサ３１を設け、ケーブル識別器１０で分岐／分配器５１の番号を識別するようにしても良い。
【００５０】
【発明の効果】
以上詳記したように本発明によれば、集合住宅等に設置するテレビ共同視聴設備において、分配機能を備えた機器側で複数の分配用ケーブルを簡単且つ確実に識別でき、機器の分配端子に所定の分配用ケーブルを正しく接続でき、機器と分配用ケーブルとの接続作業を短時間で効率的に行なうことができる。
【図面の簡単な説明】
【図１】本発明の第１実施形態に係る集合住宅等におけるテレビ共同視聴設備の構成例を示す図。
【図２】同実施形態におけるケーブル識別器の構成例を示す図。
【図３】同実施形態におけるブースタの概略構成例を示す図。
【図４】同実施形態におけるブースタに設けられる識別用抵抗器の設定例と計測電圧との関係を示す図。
【図５】同実施形態において、複数の識別用抵抗器をロータリスイッチで切換え設定する場合の構成例を示す図。
【図６】本発明の第２実施形態に係るケーブル識別器及びブースタの構成例を示す図。
【図７】同実施形態の動作を説明するための各部の信号波形を示す図。
【図８】本発明の第３実施形態に係るケーブル識別器及びブースタの構成例を示す図。
【図９】同実施形態におけるＩＤチップの構成例を示す図。
【図１０】ブースタにＩＤアダプタを接続した場合の例を示す図。
【図１１】ＩＤアダプタを単独で使用した場合の例を示す図。
【図１２】分岐／分配器にＩＤチップを設けた場合の例を示す図。
【符号の説明】
１…ＴＶアンテナ
２…増幅器
３…分配器
４ａ〜４ｎ…分配端子
５ａ〜５ｎ…分配用ケーブル
６…ジャンクションボックス
７ａ〜７ｎ…ブースタ
８…ＴＶ端子
１０…ケーブル識別器
１１…マイコン
１１１…Ｄ変換器
１１２…レベル判別部
１１３…ドライバ
１１４…容量判別部
１１５…モデム
１１６…ＩＤ判別部
１２…表示器
１３…計測用基準抵抗器
１４…電源部
１５…計測端子
１６…ロータリスイッチ
１７…パルス発生器
１８…抵抗器
２１…識別用抵抗器
２２…入力端子
２３…コンデンサ
２４…増幅器
２５…出力端子
３１…識別用コンデンサ
４０…ＩＤチップ
４１…モデム
４２…ＲＯＭ
４３…抵抗器
４４…コンデンサ
５０…ＩＤアダプタ
５１…分岐／分配器
【図１】
2004112729.tif 000003
【図２】
2004112729.tif 000004
【図３】
2004112729.tif 000005
【図４】
2004112729.tif 000006
【図５】
2004112729.tif 000007
【図６】
2004112729.tif 000008
【図７】
2004112729.tif 000009
【図８】
2004112729.tif 000010
【図９】
2004112729.tif 000011
【図１０】
2004112729.tif 000012
【図１１】
2004112729.tif 000013
【図１２】
2004112729.tif 000014